(57)【要約】【課題】ナビゲーション装置で、地点指定のための文字入力の際に表示する文字の視認性を高める。【解決手段】入力文字候補欄４１内にアルファベット列が表示されると共に、入力文字候補欄４１の中央を固定領域としたフォーカス４２が表示される。アルファベット列から選択予定のアルファベット（Ｐ，Ａ，Ｒ，Ｉ，Ｓ）を順次選択するごとに、アルファベット列が左右に移動して、選択予定のアルファベット（Ｐ）は、中央のフォーカス４２内に表示される。選択予定のアルファベット（Ｐ）を選択確定すると、そのアルファベットが選択名称表示欄４３に表示されると共に、入力文字候補欄４１からは、地点等の名称候補の名称を構成するアルファベットを除くアルファベットが消され、アルファベット列が詰められる。【選択図】　図５
2004085362.tif 000002
【特許請求の範囲】
【請求項１】
地図を表示する表示装置を備えているナビゲーション装置において、
前記表示装置に、複数の文字の集まりである文字群を表示させる表示制御手段と、
前記表示装置に表示された前記文字群のうちから、選択予定の文字の選択を受け付ける文字選択受付手段と、
を備え、
前記表示制御手段は、
前記選択予定の文字を表示する選択文字表示領域が予め定められた固定領域に設定されており、前記文字選択受付手段で受け付けた前記選択予定の文字の選択が変わるごとに、前記選択文字表示領域内に前記選択予定の文字が表示されるよう、前記文字群を動かす文字群表示制御手段を有する、
ことを特徴とするナビゲーション装置。
【請求項２】
請求項１に記載のナビゲーション装置において、
前記表示制御手段は、
前記選択文字表示領域を、前記予め定められた固定領域に表示させる領域表示制御手段を有する、
ことを特徴とするナビゲーション装置。
【請求項３】
請求項１及び２のいずれか一項に記載のナビゲーション装置において、
前記表示制御手段は、
前記表示装置に表示されている前記文字群のうちの前記選択文字表示領域外の文字のサイズに対して、該選択文字表示領域内の文字のサイズを大きなサイズに切り替える選択文字表示制御手段を有する、
ことを特徴とするナビゲーション装置。
【請求項４】
地図を表示する表示装置を備え、該地図中の地点指定のための文字入力を受け付けるナビゲーション装置において、
前記表示装置に、複数の文字の集まりである文字群を表示させる表示制御手段と、
前記表示装置に表示された前記文字群のうちから、選択予定の文字の選択を受け付けると共に、受け付けた該選択予定の文字を選択文字として確定するか否かを受け付ける文字選択受付手段と、
前記地図中の地点名を含む複数の名称が記憶されている名称ファイルと、
前記文字選択受付手段で順次選択された１以上の前記選択文字に基づいて、前記名称ファイルに記憶されている複数の前記名称のうちから名称候補を抽出する名称候補抽出手段と、
を備え、
前記表示制御手段は、
前記文字選択受付手段で受け付けた前記選択予定の文字の領域である選択文字表示領域を、予め定められた固定領域に表示させる領域表示制御手段と、
前記文字群を前記表示装置に表示させ、前記文字選択受付手段で１つの前記選択文字が選択されるたびに、前記名称候補抽出手段で抽出された名称候補の名称を構成する文字を除く文字を、該表示装置に表示させている該文字群から消して、消した文字の領域に、該消した文字に隣接していた文字を移動させて、文字群を詰めると共に、前記文字選択受付手段で受け付けた前記選択予定の文字の選択が変わるごとに、前記選択文字表示領域内に前記選択予定の文字が表示されるよう、前記表示装置に表示された文字群を動かす文字群表示制御手段と、
前記表示装置に表示されている前記文字群のうちの前記選択文字表示領域外の文字のサイズに対して、該選択文字表示領域内の文字のサイズを大きなサイズに切り替える選択文字表示制御手段と、を有する、
ことを特徴とするナビゲーション装置。
【請求項５】
地図を表示する表示装置を備えているナビゲーション装置において、
前記表示装置に、複数の文字の集まりである文字群を表示させる表示制御手段と、
前記表示装置に表示された前記文字群のうちから、選択予定の文字の選択を受け付ける文字選択受付手段と、
を備え、
前記表示制御手段は、
前記文字群を前記表示装置に表示させる文字群表示制御手段と、
前記文字選択受付手段で受け付けた前記選択予定の文字の領域である選択文字表示領域を前記文字群中に表示させる領域表示制御手段と、
前記表示装置に表示された前記文字群のうちの前記選択文字表示領域外の文字のサイズに対して、該選択文字表示領域内の文字のサイズを大きなサイズに切り替える選択文字表示制御手段と、を有する、
ことを特徴とするナビゲーション装置。
【請求項６】
請求項５に記載のナビゲーション装置において、
前記文字選択受付手段は、前記表示装置に表示された前記文字群のうちから、選択予定の文字の選択を受け付けると共に、受け付けた該選択予定の文字を選択文字として確定するか否かを受け付ける、
ことを特徴とするナビゲーション装置。
【請求項７】
請求項６に記載のナビゲーション装置において、
前記地図中の地点名を含む複数の名称が記憶されている名称ファイルと、
前記文字選択受付手段で順次選択された１以上の前記選択文字に基づいて、前記名称ファイルに記憶されている複数の前記名称のうちから名称候補を抽出する名称候補抽出手段と、
を備え、
前記表示制御手段の文字群表示制御手段は、
前記文字選択受付手段で１つの前記選択文字が選択されるたびに、前記名称候補抽出手段で抽出された名称候補の名称を構成する文字を除く文字を、該表示装置に表示されている該文字群から消して、消した文字の領域に、該消した文字に隣接していた文字を移動させて、文字群を詰める、
ことを特徴とするナビゲーション装置。
【請求項８】
地図を表示する表示装置を有し、該地図中の地点指定のための文字入力を受け付けるナビゲーション装置において、
前記表示装置に、複数の文字の集まりである文字群を表示させる表示制御手段と、
前記表示装置に表示された前記文字群のうちから、選択予定の文字の選択を受け付けると共に、受け付けた該選択予定の文字を選択文字として確定するか否か受け付ける文字選択受付手段と、
前記地図中の地点名を含む複数の名称が記憶されている名称ファイルと、
前記文字選択受付手段で順次選択された１以上の前記選択文字に基づいて、前記名称ファイルに記憶されている複数の前記名称のうちから名称候補を抽出する名称候補抽出手段と、
を備え、
前記表示制御手段は、
前記文字群を前記表示装置に表示させ、前記文字選択受付手段で１つの前記選択文字が選択されるたびに、前記名称候補抽出手段で抽出された名称候補の名称を構成する文字を除く文字を、該表示装置に表示されている該文字群から消して、消した文字の領域に、該消した文字に隣接していた文字を移動させて、文字群を詰める文字群表示制御手段を有する、
ことを特徴とするナビゲーション装置。
【請求項９】
請求項１から７のいずれか一項に記載のナビゲーション装置において、
前記文字群表示制御手段は、
前記文字群のうちの前記選択文字表示領域内の文字に対して、該選択文字表示領域外の文字を目立たない色で、前記表示装置に表示させる、
ことを特徴とするナビゲーション装置。
【請求項１０】
請求項９に記載のナビゲーション装置において、
前記文字群表示制御手段は、
前記選択文字表示領域内の文字よりも、該選択文字表示領域外の文字を前記文字群の背景色に近い色で、前記表示装置に表示させる、
ことを特徴とするナビゲーション装置。
【発明の詳細な説明】
【０００１】
【発明の属する技術分野】
本発明は、文字群を表示して文字入力されるナビゲーション装置に関する。
【０００２】
【従来の技術】
従来のナビゲーション装置で、地点指定のために文字入力を行う際には、図６に示すような地点設定画面が表示される。
【０００３】
この地点設定画面では、入力文字候補欄４５に全てのアルファベットが表示され、複数のアルファベットのうち、選択予定の文字選択を受け付けたアルファベット（ここでは、Ｍ）の領域にフォーカス４６が当てられて、他のアルファベットと区別できるようにしている。選択予定の文字選択が変わった場合には、選択予定の文字自体を変えずに、フォーカス４６を移動させている。
【０００４】
また、複数のアルファベットから一つの文字が選択されるとびに、地点名称の名称候補を構成する文字を除く文字を薄く表示して、薄く表示した文字の選択を受け付けないようにしている。
【０００５】
【発明が解決しようとする課題】
ナビゲーション装置では、従来から、地図の視認性を高めるために、昼間と夜間との表示形態を変えたり、地図を俯瞰図的に表示する等の工夫が成されている。
【０００６】
一方、地点指定のための文字入力の際に表示する文字の視認性を高めるための工夫はあまり成されていない。このため、文字の視認性を高めて欲しいという要望が多くなってきている。
【０００７】
そこで、本発明は、このような要望を応えるべく、文字入力の際に表示する文字の視認性を高めることができるナビゲーション装置を提供することを目的とする。
【０００８】
【課題を解決するための手段】
前記目的を達成するための第一のナビゲーション装置は、
地図を表示する表示装置に、複数の文字の集まりである文字群を表示させる表示制御手段と、前記表示装置に表示された前記文字群のうちから、選択予定の文字の選択を受け付ける文字選択受付手段と、を備え、
前記表示制御手段は、前記選択予定の文字を表示する選択文字表示領域が予め定められた固定領域に設定されており、前記文字選択受付手段で受け付けた前記選択予定の文字の選択が変わるごとに、前記選択文字表示領域内に前記選択予定の文字が表示されるよう、前記文字群を動かす文字群表示制御手段を有する、ことを特徴とするものである。
【０００９】
前記目的を達成するための第二のナビゲーション装置は、
地図を表示する表示装置に、複数の文字の集まりである文字群を表示させる表示制御手段と、前記表示装置に表示された前記文字群のうちから、選択予定の文字の選択を受け付ける文字選択受付手段と、を備え、
前記表示制御手段は、前記文字群を前記表示装置に表示させる文字群表示制御手段と、前記文字選択受付手段で受け付けた前記選択予定の文字の領域である選択文字表示領域を前記文字群中に表示させる領域表示制御手段と、前記文字群のうちの前記選択文字表示領域外の文字のサイズに対して、該選択文字表示領域内の文字のサイズを大きなサイズに切り替える選択文字表示制御手段と、を有する、ことを特徴とするものである。
【００１０】
前記目的を達成するための第三のナビゲーション装置は、
地図を表示する表示装置に、複数の文字の集まりである文字群を表示させる表示制御手段と、前記表示装置に表示された前記文字群のうちから、選択予定の文字の選択を受け付けると共に、受け付けた該選択予定の文字を選択文字として確定するか否か受け付ける文字選択受付手段と、前記地図中の地点名を含む複数の名称が記憶されている名称ファイルと、前記文字選択受付手段で順次選択された１以上の前記選択文字に基づいて、前記名称ファイルに記憶されている複数の前記名称のうちから名称候補を抽出する名称候補抽出手段と、
を備え、
前記表示制御手段は、前記文字群を前記表示装置に表示させ、前記文字選択受付手段で１つの前記選択文字が選択されるたびに、前記名称候補抽出手段で抽出された名称候補の名称を構成する文字を除く文字を、該表示装置に表示されている該文字群から消して、消した文字の領域に、該消した文字に隣接していた文字を移動させて、文字群を詰める文字群表示制御手段を有する、ことを特徴とするものである。
【００１１】
また、前記目的を達成するための第四のナビゲーション装置は、
地図を表示する表示装置を備え、該地図中の地点指定のための文字入力を受け付けるナビゲーション装置において、
前記表示装置に、複数の文字の集まりである文字群を表示させる表示制御手段と、前記表示装置に表示された前記文字群のうちから、選択予定の文字の選択を受け付けると共に、受け付けた該選択予定の文字を選択文字として確定するか否かを受け付ける文字選択受付手段と、前記地図中の地点名を含む複数の名称が記憶されている名称ファイルと、前記文字選択受付手段で順次選択された１以上の前記選択文字に基づいて、前記名称ファイルに記憶されている複数の前記名称のうちから名称候補を抽出する名称候補抽出手段と、を備え、
前記表示制御手段は、前記文字選択受付手段で受け付けた前記選択予定の文字の領域である選択文字表示領域を、予め定められた固定領域に表示させる領域表示制御手段と、前記文字群を前記表示装置に表示させ、前記文字選択受付手段で１つの前記選択文字が選択されるたびに、前記名称候補抽出手段で抽出された名称候補の名称を構成する文字を除く文字を、該表示装置に表示させている該文字群から消して、消した文字の領域に、該消した文字に隣接していた文字を移動させて、文字群を詰めると共に、前記文字選択受付手段で受け付けた前記選択予定の文字の選択が変わるごとに、前記選択文字表示領域内に前記選択予定の文字が表示されるよう、前記表示装置に表示された文字群を動かす文字群表示制御手段と、前記表示装置に表示されている前記文字群のうちの前記選択文字表示領域外の文字のサイズに対して、該選択文字表示領域内の文字のサイズを大きなサイズに切り替える選択文字表示制御手段と、を有する、ことを特徴とするものである。
【００１２】
ここで、以上の各ナビゲーション装置の前記文字群表示制御手段は、
前記選択文字表示領域内の文字よりも、該選択文字表示領域外の文字を前記文字群の背景色に近い色で、前記表示装置に表示させる、ことが好ましい。
【００１３】
【発明の実施の形態】
以下、本発明に係るナビゲーション装置の一実施形態について、図面を用いて説明する。
【００１４】
図１に示すように、本実施形態のナビゲーション装置は、車両に設けられるもので、ナビゲーション装置本体１０と、方位を計測する方位センサ８と、ＧＰＳ衛星からの信号を受けるＧＰＳセンサ９と、を備えている。
【００１５】
ナビゲーション装置本体１０は、表示パネル１１と、この表示パネル１１の駆動回路１２と、方位センサやＧＰＳセンサさらに車両に設けられている車速センサからの信号を受信するセンサインタフェース１３と、地図情報が記憶されているＤＶＤ７を再生するＤＶＤ装置１４と、各種入力操作をするための操作端１５ａ〜１５ｄと、各操作端の動作に応じた信号を出力する操作端インタフェース１６と、各種プログラムやデータ等が予め記憶されているＲＯＭ１７と、このＲＯＭ１７に記憶されているプログラムに従って動作するＣＰＵ１９と、ＤＶＤ７からの地図情報が記憶されたりＣＰＵ１９のワークエリアとなるＲＡＭ１８と、各インタフェースやＲＯＭやＣＰＵ相互を接続するバス配線と、を備えている。
【００１６】
ナビゲーション装置本体１０は、機能的には、図２に示すように、パネル駆動回路１２による表示パネル１１の表示内容を制御する表示制御部２０と、操作端インタフェース１６からの各種操作信号を受け付ける受付部３５と、受付部３５が受け付けた目的地点までのルートを設定するルート設定部３６と、地点名称や設備名称等を記憶している名称ファイル３３から特定の名称を抽出する名称抽出部３７と、を備えている。表示制御部２０は、センサインタフェース１３から得られた現在地及び地図情報ファイル３１から得られた地図情報に基づいて表示パネル１１に地図を表示させる地図表示制御部２１と、ルート設定部３６が設定したルートを表示パネル１１に表示させるルート表示制御部２２と、複数の文字（ここでは、アルファベット）の集まりである文字群を表示パネル１１に表示させる文字群表示制御部２３と、受付部３５で受け付けた選択予定の文字の領域（以下、フォーカスとする。）を表示させる領域表示制御部２４と、フォーカス内の文字を表示させる選択文字表示制御部２５と、名称抽出部３７で抽出された名称を表示させる名称表示制御部２６と、を有している。
【００１７】
以上の各機能構成要素は、いずれも、ＲＯＭ１７に記憶されている各種プログラムをＣＰＵ１９が実行することで機能することになる。また、ＲＯＭ１７は、以上の各種プログラムの他に、各種文字フォントが記憶されている文字フォントファイル３２、及び、各種地点名称や設備名称等が記憶されている前述の名称ファイル３３を有している。また、ＲＡＭ１８は、ＣＰＵ１９が各種プログラムを実行する際のワークエリアとなる他、ＤＶＤ装置１４が取得した地図情報を一時的に記憶しておく地図情報ファイル３１を展開する領域にもなる。
【００１８】
次に、本実施形態のナビゲーション装置における、目的地点を設定する際の文字入力動作について説明する。
【００１９】
表示パネル１１の画面上に地図が表示されている際に、目的地点を設定する場合には、モード切換ボタン１５ｂを押して、表示パネル１１に目的地点設定画面を表示させる。
【００２０】
図３は、この目的地点設定画面を示している。
【００２１】
図３に示す目的地点設定画面では、入力文字候補である複数のアルファベットが横一列に示される入力文字候補欄４１、順次選択した文字が選択順番に従って並んで示される選択名称表示欄４３、目的地点の「Ｃｉｔｙ」の名称が示されるＣｉｔｙ名欄４４、目的地点の「Ｓｔａｔｅ」の名称が示されるＳｔａｔｅ名欄４５、目的地点の「Ｃａｔｅｇｏｒｙ」が示されるＣａｔｅｇｏｒｙ欄４６が、表示される。
【００２２】
仮に、Ｃｉｔｙ名欄４４のＣｉｔｙ名、Ｓｔａｔｅ名欄４５のＳｔａｔｅ名、Ｃａｔｅｇｏｒｙ欄４６のＣａｔｅｇｏｒｙを指定せずに、直ちに、目的地点として、「Ｍａｄｉｓｏｎ　Ｓｑｕａｒｅ　Ｇａｒｄｅｎ」を設定したい場合には、複数の操作端のうちのロータリーボタン１５ａを回して、図３に示すように、選択予定文字として、入力文字候補欄４１内の「Ｍ」にフォーカス４２が当たるようにする。なお、後述するように、目的地点設定画面の文字未入力段階では、入力文字候補欄のアルファベット列のうち、中央の「Ｍ」にフォーカス４２が当たっている。「Ｍ」にフォーカス４２が当たると、この場合は、「Ｍ」が選択すべき文字であるので、選択文字として確定させるために、ロータリーボタン１５ａを押す。すると、「Ｍ」が選択文字として確定し、選択名称表示欄４３の中に「Ｍ」が表示される。続いて、選択予定文字として「Ａ」にフォーカス４２が当たるように、ロータリーボタン１５ａを回すと、この操作に対応して、アルファベット列に対するフォーカス４２の相対位置が移動する。ここでは、フォーカス４２の位置が固定され、アルファベット列が左右に移動する。フォーカス４２が「Ａ」に当たると、ロータリーボタン１５ａを押して、「Ａ」を選択文字として確定させる。選択文字として確定した「Ａ」は、選択名称表示欄４３の中に、先に表示されている「Ｍ」の隣りに表示される。以下、「Ｄ」「Ｉ」「Ｓ」…と順次選択文字として確定させる。目的地点として「Ｍａｄｉｓｏｎ　Ｓｑｕａｒｅ　Ｇａｒｄｅｎ」の設定が終了すると、ルート設定部３６により、現在地点から目的地点まで、ここでは「Ｍａｄｉｓｏｎ　Ｓｑｕａｒｅ　Ｇａｒｄｅｎ」までのルートが設定される。そして、地図表示制御部２１により、表示パネル１１に現在地点を含む地図が表示されると、ルート表示制御部２２により、この地図上にルートが表示される。受付部３５は、選択文字を受け付ける毎に、この選択文字を目的地点・ルート記憶部３８に記憶し、ルート設定部３６は、目的地点の設定終了を受付部３５から受けると、目的地点・ルート記憶部３８に記憶された目的地点に基づいて、ルートを設定する。
【００２３】
以上において、モード切換ボタン１５ｂの操作で、表示パネル１１に目的地点設定画面が表示された段階では、文字群表示制御部２３が、文字フォントファイル３２を参照して、文字群としての２６文字のアルファベットの列をこの目的地点設定画面上の入力文字候補欄４１に、白色の背景色に近いグレー色で表示させる。さらに、領域表示制御部２４が、入力文字候補欄４１の中央を固定領域としたフォーカス（選択文字表示領域）４２を表示させる。図３に示す文字未入力段階では、入力文字候補欄４１の中央には、アルファベットの「Ｍ」が位置しているので、この「Ｍ」を囲むようにフォーカス４２が表示される。このフォーカス４２の領域は、フォーカス４２が当たっていない他の文字サイズよりいくらか大きく、選択文字表示制御部２５が、このフォーカス４２内に、フォーカス４２が当たっていない他の文字よりも、大きいサイズの「Ｍ」を黒色で表示させる。この際、選択文字表示制御部２５は、文字群表示制御部２３がフォーカス４２の当たっていない文字を表示する際に使用する文字フォントとは、異なるサイズの大きな文字フォントを使用する。したがって、文字フォントファイル３２には、入力文字候補の文字群表示用として、フォーカス４２が当たっていない文字用のフォントと、フォーカス４２が当たっている文字用の大きいサイズのフォントとが記憶されている。
【００２４】
フォーカス位置は、画面上で固定されており、選択予定文字の選択のためにロータリーボタン１５ａが回されても、前述したように移動せず、文字群表示部２３により、アルファベット列が左右に移動して、アルファベット列とフォーカスとの相対位置が変わる。
【００２５】
このように、文字選択にあたっては、フォーカス４２が移動せずに、アルファベット列が移動するので、操作者は、視線を移動させずに済む。また、ここでは、フォーカス内の選択予定文字を大きく且つ真っ黒で表示し、フォーカス外のアルファベット列を背景色に近いグレー色で表示しているので、移動するアルファベット列が目立たなくしている。このため、操作者は、この移動するアルファベット列を目で追うことはない。従って、運転者である操作者の視線が安定し、注目すべき文字の視認性を高めることができる。
【００２６】
次に、図４及び図５を用いて、選択予定文字の選択過程での表示変化について、具体的に説明する。図４は、Ｃｉｔｙ名設定画面を示している。このＣｉｔｙ名設定画面は、図３のＣｉｔｙ名欄４４の設定を指定すると表示される画面で、入力文字候補である複数のアルファベットが横一列に示される入力文字候補欄４１、順次選択した文字が選択順番に従って並んで示される選択名称表示欄４３が表示される。
【００２７】
このＣｉｔｙ名設定画面の表示の際も、文字群表示制御部２３が、文字フォントファイル３２を参照して、文字群としてのアルファベット列を入力文字候補欄４１に、白色の背景色に近いグレー色で表示させる。さらに、領域表示制御部２４が、入力文字候補欄４１の中央に位置している「Ｍ」の箇所をフォーカス位置として、この「Ｍ」を囲むようにフォーカス４２を表示させる。
【００２８】
Ｃｉｔｙ名として「ＰＡＲＩＳ」を設定する場合、まず、ロータリーボタン１５ａを回して、図５（ａ）に示すように、選択予定文字として、入力文字候補欄４１内の「Ｐ」にフォーカス４２が当たるようにする。この際、ロータリーボタン１５ａを回すと、この操作に対応して、入力文字候補欄４１内のアルファベット列が左に移動して、入力文字候補欄４１の中央に表示されているフォーカス４２の位置に「Ｐ」が至る。この場合は、「Ｐ」が選択すべき文字であるので、選択文字として確定させるために、ロータリーボタン１５ａを押す。すると、同図（ｂ）に示すように、「Ｐ」が選択文字として確定し、選択名称表示欄４３の中に「Ｐ」が表示される。名称抽出部３７は、このように選択予定文字が選択文字として確定される毎に、これまでに選択された選択文字を含むＣｉｔｙ名の候補を名称ファイル３３から検索する。文字群表示制御部２３は、名称抽出部３７が抽出したＣｉｔｙ名候補のＣｉｔｙ名を構成する文字を除く文字を、入力文字候補欄内のアルファベット列から消して、アルファベット列を中央に詰める。この場合、名称抽出部３７は、「Ｐ」が先頭にくるＣｉｔｙ名を名称ファイル３３から検索し、「ＰＡＲＩＳ」を含む複数のＣｉｔｙ名候補を抽出する。文字群表示制御部２３は、同図（ｂ）に示すように、この数件分の名称を設定するために次に入力する可能性のあるアルファベット（Ａ，Ｅ，Ｆ，…）のみを残して、他のアルファベット（Ｂ，Ｃ，Ｄ，Ｇ，…）を消し、入力文字候補欄４１内のアルファベット列を構成するアルファベットの数量を減らすと共に、アルファベットを消した位置に、入力可能性のあるファルファベットを表示してアルファベット列を詰める。この結果、入力文字候補欄４１の中央に「Ｌ」が位置することになるので、この「Ｌ」にフォーカス４２が当たる。
【００２９】
続いて、同図（ｃ）に示すように、選択予定文字として「Ａ」にフォーカスが当たるように、ロータリーボタン１５ａを回すと、この操作に対応して、アルファベット列が右に移動する。「Ａ」にフォーカスが当たると、これを選択文字として確定させるために、ロータリーボタン１５ａを押す。すると、同図（ｄ）に示すように、「Ａ」が選択文字として確定し、選択名称表示欄の中に「Ｐ」の隣りに「Ａ」が表示される。また、次に入力する可能性のあるアルファベットは、２６文字の全てのアルファベットであるから、文字群表示制御部２３は、全てのアルファベットをアルファベット列として、入力文字候補欄内に表示する。
【００３０】
以下、同図（ｅ）〜（ｉ）に示すように、「Ｒ」「Ｉ」「Ｓ」を順次選択文字として選択し、Ｃｉｔｙ名として「ＰＡＲＩＳ」を設定する。
【００３１】
なお、図３に示す目的地点設定画面で、選択文字を順次確定する際においても、以上と同様に、次に入力する可能性のあるアルファベットのみを残して、入力可能性のないアルファベットを消している。
【００３２】
また、以上の実施形態では、地点指定のための文字入力について説明したが、本発明はこれに限定されるものではなく、例えば、名称ファイルに登録されている「ＸＸＸＸＸ」を「Ｔｏｍ‘ｓ　ｈｏｕｓｅ」に変更する等の編集作業における文字入力に対しても、本発明を適用してもよい。
【００３３】
【発明の効果】
本発明によれば、入力文字候補の文字群から選択予定の文字を順次選択するごとに、文字群が移動して、固定領域である選択文字表示領域内に選択予定の文字が表示されるので、操作者の視線が安定し、注目すべき文字の視認性を高めることができる。
【００３４】
また、他の発明によれば、入力文字候補の文字群中に選択文字表示領域が表示され、選択文字表示領域外の文字サイズに対して、選択文字表示領域内の文字のサイズを大きなサイズで表示されるので、注目すべき文字の視認性を高めることができる。
【００３５】
また、さらに他の発明によれば、入力文字候補の文字群中から、選択文字が選択される毎に、地点等の名称候補の名称を構成する文字除く文字が消され、文字群が詰められるので、文字群を見るための視野を狭めてもよくなり、文字群の視認性を高めることができる。
【図面の簡単な説明】
【図１】本発明に係る一実施形態におけるナビゲーション装置の回路ブロック図である。
【図２】本発明に係る一実施形態におけるナビゲーション装置の機能ブロック図である。
【図３】本発明に係る一実施形態における目的地点設定画面を示す説明図である。
【図４】本発明に係る一実施形態におけるＣｉｔｙ名設定画面を示す説明図である。
【図５】本発明に係る一実施形態における選択予定文字の選択過程での表示変化を説明するための説明図である。
【図６】従来のナビゲーション装置における目的地点設定画面を示す説明図である。
【符号の説明】
１０…ナビゲーション装置本体、１１…表示パネル、１５ａ〜１５ｄ…操作端、２０…表示制御部、２１…地図表示制御部、２２…ルート表示制御部、２３…文字群表示制御部、２４…領域表示制御部、２５…選択文字表示制御部、３３…名称ファイル、３５…受付部、３６…ルート設定部、３７…名称抽出部、４１…入力文字候補欄、４２…フォーカス（選択文字表示領域）、４３…選択名称表示欄。
【図１】
2004085362.tif 000003
【図２】
2004085362.tif 000004
【図３】
2004085362.tif 000005
【図４】
2004085362.tif 000006
【図５】
2004085362.tif 000007
【図６】
2004085362.tif 000008